(57)【要約】【課題】  将来において記録速度の更なる向上が図られた場合であってもこれに対応して情報記録装置等を正確に制御して記録情報の記録が行えると共に、記録速度の設定に関する規格を将来的に容易に拡充することが可能な記録媒体及び情報記録装置等を提供する。【解決手段】  一又は複数種類の記録速度により記録情報を記録することが可能なＤＶＤ１００において、記録情報が記録されるデータエリアＤＡと、ＤＶＤ１００に記録情報を記録する際に必ず用いることが可能でありＤＶＤ１００の種類毎に予め設定されている基本記録速度を少なくとも含むと共に、ＤＶＤ１００の種類毎に予め設定されている記録速度範囲情報２１が記録されている制御情報エリアＳＣと、を備える。【選択図】  図１
2005166111.tif 000002
【特許請求の範囲】
【請求項１】
一又は複数種類の記録速度により記録情報を記録することが可能な記録媒体において、
前記記録情報が記録される記録領域と、
当該記録媒体に前記記録情報を記録する際に必ず用いることが可能であり当該記録媒体の種類毎に予め設定されている基本記録速度を少なくとも含むと共に、当該記録媒体の種類毎に予め設定されている前記記録速度の範囲を示す記録速度範囲情報が記録されている記録速度範囲情報記録領域と、
を備えることを特徴とする記録媒体。
【請求項２】
請求項１に記載の記録媒体において、
前記記録速度範囲情報により示される前記記録速度の範囲が相互に異なる複数種類の前記記録媒体があるとき、
一の種類の前記記録媒体に対応する前記基本記録速度は、他の種類の前記記録媒体に対応する前記記録速度範囲外の前記記録速度となるように、当該各種類の前記記録媒体における前記記録速度範囲情報の内容が予め夫々に設定されていることを特徴とする記録媒体。
【請求項３】
請求項１又は２に記載の記録媒体において、
当該記録媒体に対して前記記録情報を記録する際に用いることが可能とされている最も速い前記記録速度を示す最高記録速度情報が記録されている最高記録速度情報記録領域と、
当該記録媒体に対して前記記録情報を記録する際に用いることが可能とされている最も遅い前記記録速度を示す最低記録速度情報が記録されている最低記録速度情報記録領域と、
を更に備えることを特徴とする記録媒体。
【請求項４】
請求項１乃至３のいずれか一項に記載の記録媒体に対して前記記録情報を記録する情報記録装置であって、
前記記録媒体から前記記録速度範囲情報を取得する取得手段と、
前記取得された記録速度範囲情報に基づき、当該記録媒体への前記記録情報の記録が可能であるか否かを判断する判断手段と、
前記取得された記録速度範囲情報に対応する前記基本記録速度を少なくとも用いた前記記録情報の前記記録媒体への記録が可能とされている記録手段と、
を備えることを特徴とする情報記録装置。
【請求項５】
請求項３に記載の記録媒体に対して前記記録情報を記録する情報記録装置であって、
前記記録媒体から前記最高記録速度情報及び前記最低記録速度情報を取得する取得手段と、
前記取得された最高記録速度情報及び最低記録速度情報に基づき、前記記録媒体に対して前記記録情報を記録する際に用い得る前記記録速度の範囲を認識する認識手段と、
前記記録情報を前記記録媒体に記録する際に用いられるべき前記記録速度を指定する指定手段と、
前記指定された記録速度が前記認識された記録速度の範囲に含まれるか否かを判断する判断手段と、
前記記録速度範囲情報記録領域に記録されている前記記録速度範囲情報に対応する前記基本記録速度を少なくとも用いた前記記録情報の前記記録媒体への記録が可能とされており、且つ前記指定された記録速度が前記認識された記録速度の範囲に含まれるとき、当該指定された記録速度で前記記録情報を前記記録媒体に記録する記録手段と、
を備えることを特徴とする情報記録装置。
【請求項６】
請求項５に記載の情報記録装置において、
前記記録手段は、前記指定された記録速度が前記認識された記録速度の範囲に含まれないとき、前記記録情報を前記記録媒体に記録する際に当該情報記録装置において用いることが可能な何れかの前記記録速度を用いて前記記録情報を前記記録媒体に記録することを特長とする情報記録装置。
【請求項７】
請求項１乃至３のいずれか一項に記載の記録媒体に対して前記記録情報を記録する情報記録方法であって、
前記記録媒体から前記記録速度範囲情報を取得する取得工程と、
前記取得された記録速度範囲情報に基づき、当該記録媒体への前記記録情報の記録が可能であるか否かを判断する判断工程と、
前記判断工程において前記記録媒体への前記記録情報の記録が可能であると判定されたとき、前記取得された記録速度範囲情報に対応する前記基本記録速度を用いた前記記録情報の前記記録媒体への記録を少なくとも行う記録工程と、
を含むことを特徴とする情報記録方法。
【請求項８】
請求項３に記載の記録媒体に対して前記記録情報を記録する情報記録方法であって、
前記記録媒体から前記最高記録速度情報及び前記最低記録速度情報を取得する取得工程と、
前記取得された最高記録速度情報及び最低記録速度情報に基づき、前記記録媒体に対して前記記録情報を記録する際に用い得る前記記録速度の範囲を認識する認識工程と、
前記記録情報を前記記録媒体に記録する際に用いられるべき前記記録速度を指定する指定工程と、
前記指定された記録速度が前記認識された記録速度の範囲に含まれるか否かを判断する判断工程と、
前記指定された記録速度が前記認識された記録速度の範囲に含まれるとき、当該指定された記録速度で前記記録情報を前記記録媒体に記録する記録工程と、
を含むことを特徴とする情報記録方法。
【請求項９】
請求項１乃至３のいずれか一項に記載の記録媒体に対して前記記録情報を記録する情報記録装置に含まれるコンピュータを、
前記記録媒体から前記記録速度範囲情報を取得する取得手段、
前記取得された記録速度範囲情報に基づき、当該記録媒体への前記記録情報の記録が可能であるか否かを判断する判断手段、及び、
前記記録媒体への前記記録情報の記録が可能であると判断されたとき、前記取得された記録速度範囲情報に対応する前記基本記録速度を用いた前記記録情報の前記記録媒体への記録を少なくとも行う記録手段、
として機能させることを特徴とする情報記録用プログラム。
【請求項１０】
請求項３に記載の記録媒体に対して前記記録情報を記録する情報記録装置に含まれるコンピュータを、
前記記録媒体から前記最高記録速度情報及び前記最低記録速度情報を取得する取得手段、
前記取得された最高記録速度情報及び最低記録速度情報に基づき、前記記録媒体に対して前記記録情報を記録する際に用い得る前記記録速度の範囲を認識する認識手段、
前記記録情報を前記記録媒体に記録する際に用いられるべき前記記録速度を指定する指定手段、
前記指定された記録速度が前記認識された記録速度の範囲に含まれるか否かを判断する判断手段、及び、
前記指定された記録速度が前記認識された記録速度の範囲に含まれるとき、当該指定された記録速度で前記記録情報を前記記録媒体に記録する記録手段、
として機能させることを特徴とする情報記録用プログラム。
【請求項１１】
請求項９又は１０に記載の情報記録用プログラムが前記コンピュータで読取可能に記録されていることを特徴とする情報記録媒体。
【発明の詳細な説明】
【技術分野】
【０００１】
本願は、記録媒体、情報記録装置、情報記録方法及び情報記録用プログラム並びに情報記録媒体の技術分野に属し、より詳細には、一又は複数種類の記録速度により記録情報を記録することが可能な記録媒体、当該記録媒体に対して記録情報を記録する情報記録装置及び情報記録方法、当該情報記録のための情報記録用プログラム並びに当該情報記録用プログラムがコンピュータで読取可能に記録されている情報記録媒体の技術分野に属する。
【背景技術】
【０００２】
近年、記録情報を記録することが可能な大容量の記録媒体としてのＤＶＤ（Digital Versatile Disc）が広く一般化しつつあり、更にこの記録可能なＤＶＤに対する記録速度も日進月歩に高速化しつつある。
【０００３】
一方、従来の光ディスクとしてのＣＤ（Compact Disc）又は上記ＤＶＤにおいては、その汎用性を高め普及を図るべく、予め設定された規格に則ってそのディスクの製造やそのディスクのための情報記録装置等が開発・製造されていた。そして、記録速度の向上についても、異なる種類の情報記録装置間での汎用性を高めつつ記録情報の記録を行うため、予め設定される記録速度の規格に沿って各メーカ等が光ディスクの開発・製造及び情報記録装置の開発・製造を行ってきた。
【０００４】
このとき、当該規格は、それが周知徹底される必要性から、多種類に渡る協議や認証試験等を経て正式化され頒布されるものである。
【０００５】
一方、光ディスクに対する情報記録を行う情報記録装置において、装填された光ディスクから読み取られた第１の回転数（第１の記録速度）での記録条件と、当該情報記録装置内に格納された第１及び第２の回転数（第１及び第２の記録速度）での記録条件とに基づき、装填された光ディスクの第２の回転数での記録条件を求め、光ディスクに情報を記録する情報記録装置が下記特許文献１に開示されている。
【特許文献１】特開平４ー１１４３１８号公報  他方、光ディスクのリードインエリアのプリグループに記録されるＡＴＩＰ（Absolute Time In Pre-groove）情報のリードアウト開始情報中に、記録可能速度の情報を含ませて記録し、その光ディスクを情報記録装置に挿入すると、このリードアウト開始情報が読み取られ、当該リードアウト開始情報により指示される記録可能速度の範囲内の設定可能な最高速度にそのときの記録速度が自動設定されて記録が行われる構成が、下記特許文献２に開示されている。
【特許文献２】特開２０００ー１１３４５８号公報
【発明の開示】
【発明が解決しようとする課題】
【０００６】
しかしながら、上述した規格につき、近年の光ディスクに対する記録速度の向上の顕著な要請を考慮したとき、更なる高速の記録速度が新たに実現される度に新たな記録速度の規格としての協議や認証試験等を繰り返していると、結果的にその規格の実現が遅れ、折角の高速記録化のための技術が十分に汎用化されて活用されない場合があるという問題点があった。
【０００７】
そこで、本願は上記の問題点に鑑みて為されたもので、その課題の一例は、将来において記録速度の更なる向上が図られた場合であってもこれに対応して情報記録装置等を正確に制御して記録情報の記録が行えると共に、記録速度の設定に関する規格を将来的に容易に拡充することが可能な記録媒体、当該記録媒体に対して記録情報を記録する情報記録装置及び情報記録方法、当該情報記録のための情報記録用プログラム並びに当該情報記録用プログラムがコンピュータで読取可能に記録されている情報記録媒体を提供することにある。
【課題を解決するための手段】
【０００８】
上記の課題を解決するために、請求項１に記載の発明は、一又は複数種類の記録速度により記録情報を記録することが可能な記録媒体において、前記記録情報が記録されるデータエリア等の記録領域と、当該記録媒体に前記記録情報を記録する際に必ず用いることが可能であり当該記録媒体の種類毎に予め設定されている基本記録速度を少なくとも含むと共に、当該記録媒体の種類毎に予め設定されている前記記録速度の範囲を示す記録速度範囲情報が記録されている記録速度範囲情報記録領域と、を備える。
【０００９】
上記の課題を解決するために、請求項４に記載の発明は、請求項１乃至３のいずれか一項に記載の記録媒体に対して前記記録情報を記録する情報記録装置であって、前記記録媒体から前記記録速度範囲情報を取得するピックアップ等の取得手段と、前記取得された記録速度範囲情報に基づき、当該記録媒体への前記記録情報の記録が可能であるか否かを判断するＣＰＵ等の判断手段と、前記取得された記録速度範囲情報に対応する前記基本記録速度を少なくとも用いた前記記録情報の前記記録媒体への記録が可能とされているＣＰＵ等の記録手段と、を備える。
【００１０】
上記の課題を解決するために、請求項５に記載の発明は、請求項３に記載の記録媒体に対して前記記録情報を記録する情報記録装置であって、前記記録媒体から前記最高記録速度情報及び前記最低記録速度情報を取得するピックアップ等の取得手段と、前記取得された最高記録速度情報及び最低記録速度情報に基づき、前記記録媒体に対して前記記録情報を記録する際に用い得る前記記録速度の範囲を認識するＣＰＵ等の認識手段と、前記記録情報を前記記録媒体に記録する際に用いられるべき前記記録速度を指定するために用いられる入力部当の指定手段と、前記指定された記録速度が前記認識された記録速度の範囲に含まれるか否かを判断するＣＰＵ等の判断手段と、前記記録速度範囲情報記録領域に記録されている前記記録速度範囲情報に対応する前記基本記録速度を少なくとも用いた前記記録情報の前記記録媒体への記録が可能とされており、且つ前記指定された記録速度が前記認識された記録速度の範囲に含まれるとき、当該指定された記録速度で前記記録情報を前記記録媒体に記録するＣＰＵ等の記録手段と、を備える。
【００１１】
上記の課題を解決するために、請求項７に記載の発明は、請求項１乃至３のいずれか一項に記載の記録媒体に対して前記記録情報を記録する情報記録方法であって、前記記録媒体から前記記録速度範囲情報を取得する取得工程と、前記取得された記録速度範囲情報に基づき、当該記録媒体への前記記録情報の記録が可能であるか否かを判断する判断工程と、前記判断工程において前記記録媒体への前記記録情報の記録が可能であると判定されたとき、前記取得された記録速度範囲情報に対応する前記基本記録速度を用いた前記記録情報の前記記録媒体への記録を少なくとも行う記録工程と、を含む。
【００１２】
上記の課題を解決するために、請求項８に記載の発明は、請求項３に記載の記録媒体に対して前記記録情報を記録する情報記録方法であって、前記記録媒体から前記最高記録速度情報及び前記最低記録速度情報を取得する取得工程と、前記取得された最高記録速度情報及び最低記録速度情報に基づき、前記記録媒体に対して前記記録情報を記録する際に用い得る前記記録速度の範囲を認識する認識工程と、前記記録情報を前記記録媒体に記録する際に用いられるべき前記記録速度を指定する指定工程と、前記指定された記録速度が前記認識された記録速度の範囲に含まれるか否かを判断する判断工程と、前記指定された記録速度が前記認識された記録速度の範囲に含まれるとき、当該指定された記録速度で前記記録情報を前記記録媒体に記録する記録工程と、を含む。
【００１３】
上記の課題を解決するために、請求項９に記載の発明は、請求項１乃至３のいずれか一項に記載の記録媒体に対して前記記録情報を記録する情報記録装置に含まれるコンピュータを、前記記録媒体から前記記録速度範囲情報を取得する取得手段、前記取得された記録速度範囲情報に基づき、当該記録媒体への前記記録情報の記録が可能であるか否かを判断する判断手段、及び、前記記録媒体への前記記録情報の記録が可能であると判断されたとき、前記取得された記録速度範囲情報に対応する前記基本記録速度を用いた前記記録情報の前記記録媒体への記録を少なくとも行う記録手段、として機能させる。
【００１４】
上記の課題を解決するために、請求項１０に記載の発明は、請求項３に記載の記録媒体に対して前記記録情報を記録する情報記録装置に含まれるコンピュータを、前記記録媒体から前記最高記録速度情報及び前記最低記録速度情報を取得する取得手段、前記取得された最高記録速度情報及び最低記録速度情報に基づき、前記記録媒体に対して前記記録情報を記録する際に用い得る前記記録速度の範囲を認識する認識手段、前記記録情報を前記記録媒体に記録する際に用いられるべき前記記録速度を指定する指定手段、前記指定された記録速度が前記認識された記録速度の範囲に含まれるか否かを判断する判断手段、及び、前記指定された記録速度が前記認識された記録速度の範囲に含まれるとき、当該指定された記録速度で前記記録情報を前記記録媒体に記録する記録手段、として機能させる。
【００１５】
上記の課題を解決するために、請求項１１に記載の発明は、請求項９又は１０に記載の情報記録用プログラムが前記コンピュータで読取可能に記録されている。
【発明を実施するための最良の形態】
【００１６】
次に、本願を実施するための最良の形態について、図面に基づいて説明する。なお、以下に説明する実施形態は、記録可能なＤＶＤ及び当該ＤＶＤに対して記録情報を記録する情報記録装置としてのレコーダに対して本願を適用した場合の実施の形態である。
【００１７】
（Ｉ）ＤＶＤの実施形態
始めに、本願に係る記録用のＤＶＤの実施形態について、図１を用いて説明する。なお、図１は当該実施形態に係るＤＶＤにおける物理的な記録フォーマットを示す図である。
【００１８】
図１（ａ）に示すように、実施形態に係る記録用のＤＶＤ１００は、具体的には色素膜等をその記録層として用いたＤＶＤ−Ｒ（DVD-Recordable）、相変化膜をその記録層として用いたＤＶＤ−ＲＷ（DVD-Re-Recordable）やＤＶＤ−ＲＡＭ（DVD-Rewritable）として実現されるものであり、その内周側から、当該ＤＶＤ１００に対して記録情報を記録再生する際に最初に読み出されるべき制御情報等が記録されているリードインエリアＬＩと、当該ＤＶＤ１００に対する情報の記録再生の際に読み出されて種々の制御処理に用いられる制御情報が記録されている制御情報エリアＳＣと、実際に記録再生の対象となる記録情報が記録される（又は記録されている）データエリアＤＡと、当該ＤＶＤ１００に対する記録情報の記録再生を終了する際に読み出されるべき制御情報等が記録されているリードアウトエリアＬＯと、により構成されている。
【００１９】
このとき、制御情報エリアＳＣにおいては、ＤＶＤ１００の種類を示すディスクタイプ情報や規格バージョン番号を示す情報等、データエリアＤＡの再生に必要な再生制御情報２０と、ＤＶＤ１００に記録情報を記録する際に用いられるものとして予め設定した記録速度の範囲を示す本願に係る記録速度範囲情報２１と、ＤＶＤ１００に記録情報を記録する際に物理的に用い得る最も速い記録速度を示す本願に係る最高記録速度情報２２と、ＤＶＤ１００に記録情報を記録する際に物理的に用い得る最も遅い記録速度を示す本願に係る最低記録速度情報２３と、上記制御情報としての他の情報である他情報２４と、が、いわゆるプリライト又はエンボスピット等により記録トラック上に予め記録されている。このとき、他情報２４としては、後述するストラテジ波形を各記録速度毎に設定するためのストラテジ情報等が含まれている。
【００２０】
なお、このとき、制御情報エリアＳＣはリードインエリアＬＩ内に形成されていても良く、更にはいわゆるランドプリピットや記録トラックのウオブリングを用いることにより当該記録トラックのサブ情報として読み出すことができるよう、記録情報が記録される記録領域内に重複して形成されていても良い。
【００２１】
次に、上記記録速度範囲情報２１について、より詳しく図１（ｂ）を用いて説明する。
【００２２】
上述した如く、記録速度範囲情報２１は、ＤＶＤ１００の製造後の出荷時に既にＤＶＤ１００内に記録されているものであり、それが記録されているＤＶＤ１００に記録情報を記録する際に用いられるべき記録速度の範囲を示す情報として当該ＤＶＤ１００の製造者が予めその内容（記録速度範囲情報２１により示される範囲内に入る記録速度）を設定しておくものである。
【００２３】
そして、当該記録速度範囲情報２１の内容の設定においては、そのＤＶＤ１００に対して記録情報を記録する際に必ず用いることが可能である記録速度が、基本記録速度として少なくとも一つ設定される。また、記録速度の範囲が相互に異なる二種類のＤＶＤ１００があるとき、少なくとも一の種類のＤＶＤ１００に対応する基本記録速度は、他の種類のＤＶＤ１００に記録されている記録速度範囲情報２１により示される記録速度の範囲外の記録速度となるように、予め各ＤＶＤ１００毎の記録速度範囲情報の内容が設定されている。
【００２４】
より具体的には、例えば図１（ｂ）に示すように、等倍速記録（図１（ｂ）において「×１」と示す）及び二倍速記録（図１（ｂ）において「×２」と示す）用のＤＶＤ１００には、その記録速度が等倍速又は二倍速である旨を示す第１記録速度範囲情報２１−１が記録されている。そして、この第１記録速度範囲情報２１−１においては上記基本記録速度が等倍速とされており（図１（ｂ）において二重丸で示す）、当該第１記録速度範囲情報２１−１が記録されているＤＶＤ１００用の情報記録装置においては、少なくとも等倍速による記録情報の記録が可能となるように当該情報記録装置における各パラメータ等が設定されていなければならない。
【００２５】
同様に、二倍速記録から八倍速記録（図１（ｂ）において「×８」と示す）用のＤＶＤ１００には、その記録速度が二倍速から八倍速の範囲で設定可能である旨を示す第２記録速度範囲情報２１−２が記録されている。そして、この第２記録速度範囲情報２１−２においては上記基本記録速度が四倍速とされており、当該第２記録速度範囲情報２１−２が記録されているＤＶＤ１００用の情報記録装置においては、少なくとも四倍速による記録情報の記録が可能となるように当該情報記録装置における各パラメータ等が設定されていなければならない。
【００２６】
更に同様に、十二倍速記録（図１（ｂ）において「×１２」と示す）から十六倍速記録（図１（ｂ）において「×１６」と示す）用のＤＶＤ１００には、その記録速度が十二倍速又は十六倍速であることを示す第３記録速度範囲情報２１−３が記録されている。そして、この第３記録速度範囲情報２１−３においては上記基本記録速度が十二倍速とされており、当該第３記録速度範囲情報２１−３が記録されているＤＶＤ１００用の情報記録装置においては、少なくとも十二倍速による記録情報の記録が可能となるように当該情報記録装置における各パラメータ等が設定されていなければならない。
【００２７】
なお、これら第１記録速度範囲情報２１−１、第２記録速度範囲情報２１−２又は第３記録速度範囲情報２１−３としては、上記した各記録速度自体の値そのものが記録されているのではなく、そのＤＶＤ１００に適用される記録速度が、例えば第１記録速度範囲情報２１−１として別途規格上で規定されている記録速度の範囲に入るものであるものとして情報記録装置が認識し得る態様（より具体的には、例えば「第１記録範囲情報」なる名称そのものが記録されている態様）で各記録速度範囲情報が記録されている。
【００２８】
以上の図１（ｂ）に示す例においては、第１記録速度範囲情報２１−１の基本記録速度（等倍速）は、第２記録速度範囲情報２１−２により示される記録速度の範囲外の記録速度になっており、また第２記録速度範囲情報２１−２の基本記録速度（四倍速）は、第１記録速度範囲情報２１−１により示される記録速度の範囲外の記録速度になっている。
【００２９】
更に、第２記録速度範囲情報２１−２の基本記録速度（四倍速）は、第３記録速度範囲情報２１−３により示される記録速度の範囲外の記録速度になっており、また第３記録速度範囲情報２１−３の基本記録速度（十二倍速）は、第２記録速度範囲情報２１―２により示される記録速度の範囲外の記録速度になっている。
【００３０】
なお、この例において、第１記録速度範囲情報２１−１の基本記録速度を二倍速に変更しても良いし、或いは第２記録速度範囲情報２１−２の基本記録速度を二倍速に変更しても良い。これは、第１記録速度範囲情報２１−１の基本記録速度を二倍速に変更しても、第２記録速度範囲情報２１−２の基本記録速度（四倍速）は、第１記録速度範囲情報２１−１により示される記録速度の範囲外の記録速度という条件が保たれるからである。また同様に、第２記録速度範囲情報２１−２の基本記録速度を二倍速に変更しても、第１記録速度範囲情報２１−１の基本記録速度（等倍速）は、第２記録速度範囲情報２１−２により示される記録速度の範囲外の記録速度という条件が保たれるからである。
【００３１】
更にまた、上述した実施形態において、例えば第２記録速度範囲情報２１−２が記録されているＤＶＤ１００につき、そのＤＶＤ１００が、当該第２記録速度範囲情報２１−２により示される記録速度範囲（すなわち、二倍速、四倍速（基本記録速度）、六倍速及び八倍速）の全てにおいて記録可能に構成されている必要はなく、その基本記録速度により記録情報を記録することが可能であるように構成されてさえいれば、例えば二倍速、四倍速及び六倍速で記録情報を記録することは可能であるが八倍速でこれを記録することができない構成であることも許容されるものである。
【００３２】
（II）レコーダの実施形態
次に、上述した物理フォーマットを用いて各制御情報が既に記録されているＤＶＤ１００に対して記録情報を記録するレコーダの実施態様について、具体的に図２及び図３を用いて説明する。
【００３３】
なお、図２は実施形態に係るレコーダの概要構成を示すブロック図であり、図３は当該レコーダにおいて実行される記録処理を示すフローチャートである。
【００３４】
図２に示すように、実施形態のレコーダＲは、スピンドルモータ１と、取得手段としてのピックアップ２と、ドライバ３と、ストラテジ制御部４と、変調部５と、合成部６と、Ａ／Ｄコンバータ７と、デコーダ８と、認識手段、判断手段及び記録手段としてのＣＰＵ９と、メモリ１０と、ディスプレイ１１と、指定手段としての入力部１２と、サーボ制御部１３と、により構成されている。
【００３５】
次に全体動作を説明する。
【００３６】
先ず、レコーダＲに装填されているＤＶＤ１００に対して記録されるべき記録情報Ｓinは、それが外部から入力されると、Ａ／Ｄコンバータ７によりディジタル化され、ディジタル記録情報Ｓdinとして合成部６へ出力される。
【００３７】
そして、合成部６においては、ＣＰＵ９からの制御情報Ｓcmに基づき、ディジタル記録情報Ｓdinに対して記録後の記録情報の再生時に用いられる上記再生制御情報２０等を重畳・合成し、合成記録情報Ｓmixを生成して変調部５へ出力する。
【００３８】
次に、変調部５は、ＣＰＵ９からの制御情報Ｓceに基づき、合成記録情報Ｓmixに対して例えば８−１６変調等の変調処理を施し、変調情報Ｓenとしてストラテジ制御部４に出力する。
【００３９】
そして、ストラテジ制御部４は、ＣＰＵ９からの制御情報Ｓcsに基づき、変調情報Ｓenに基づいてピックアップ２内の図示しない半導体レーザを変調駆動するための駆動パルスであってＤＶＤ１００上に形成される記録ピットの形状を整形するための処理が施された駆動パルスを生成し、パルス信号Ｓsrとしてドライバ３へ出力する。
【００４０】
これにより、ドライバ３は、パルス信号Ｓsrを予め設定された増幅率により増幅し、実際に上記半導体レーザを駆動するための駆動信号Ｓdを生成してピックアップ２へ出力する。
【００４１】
次に、ピックアップ２は、当該駆動信号Ｓdを用いて内蔵する上記半導体レーザを駆動し、情報記録用の光ビームＢを生成してＤＶＤ１００に出力する。そして、この光ビームＢがＤＶＤ１００内の図示しない記録層に照射されることで、上記記録情報Ｓinの内容に応じた記録ピットが当該記録層に形成され、これにより上記記録情報Ｓinの記録が実行される。
【００４２】
このとき、ピックアップ２は、記録情報Ｓinの記録に先立って一定強度の上記光ビームＢをＤＶＤ１００の制御情報エリアＳＣに照射し、上記した記録速度範囲情報２１、最高記録速度情報２２、最低記録速度情報２３及びストラテジ情報を検出し、これらを検出信号Ｓpuとしてデコーダ８に出力する。
【００４３】
そして、デコーダ８は、当該検出信号Ｓpu内の各情報の内容を復号し、復号情報ＳdcとしてＣＰＵ９へ出力する。
【００４４】
これにより、ＣＰＵ９は、当該復号情報Ｓdcの内容に基づいて上記各構成要素の動作を制御すべく各制御情報Ｓcs（上記ストラテジ情報を含む）、Ｓce及びＳcm並びに後述する制御情報Ｓscを生成して夫々に対応する各構成部材に出力し、これらの構成部材を統括制御する。
【００４５】
一方、ＤＶＤ１００の回転速度（換言すれば、記録情報Ｓinの記録速度）は、サーボ制御部１３からの制御情報Ｓssに基づいて制御される。
【００４６】
また、上記光ビームＢの焦点位置の制御（すなわち、ＤＶＤ１００における記録層に平行な方向のトラッキングサーボ制御並びに当該記録層に垂直な方向のフォーカスサーボ制御）は、サーボ制御部１３からの制御情報Ｓspに基づいて制御される。
【００４７】
このため、サーボ制御部１３は、ＣＰＵ９からの制御情報Ｓscに基づき、上記各制御情報Ｓss及びＳspを生成して夫々スピンドルモータ１及びピックアップ２（より具体的には、当該ピックアップ２内の図示しないアクチュエータ）に出力する。
【００４８】
なお、これらの動作をＣＰＵ９が統括制御するに際して必要な情報はメモリ情報Ｓmとしてメモリ１０内に一時的に記憶され、必要に応じて再度読み出されて当該統括制御に供される。
【００４９】
更に、レコーダＲに実現させるべき動作を示す情報は入力部１２において使用者により入力され、この入力操作に対応する操作信号Ｓopが入力部１２から出力される。そして、この操作信号Ｓopの内容に基づいてＣＰＵ９が動作することによりレコーダＲとしての所望の動作が実現される。
【００５０】
更にまた、当該レコーダＲの動作状態等は、ＣＰＵ９からの当該動作状態を示す表示信号Ｓdpに基づき、液晶ディスプレイ等よりなるディスプレイ１１上に表示される。
【００５１】
次に、上記の構成を有するレコーダＲにおける実施形態に係る記録処理について、具体的に図３を用いて説明する。
【００５２】
図３に示すように、実施形態の記録処理においては、先ずＤＶＤ１００がレコーダＲに装填されて入力部１２における記録開始操作が行われると、ＤＶＤ１００におけるリードインエリアＬＩから必要な制御情報を読み出すと共に（ステップＳ１）、制御情報エリアＳＣから上記記録速度範囲情報２１、最高記録速度情報２２、最低記録速度情報２３及びストラテジ情報を検出して復号し（ステップＳ２）メモリ１０内に一時的に格納する。
【００５３】
次に、当該記録速度範囲情報２１の内容に基づいて、レコーダＲにおいて実行可能な記録速度の範囲内に装填されているＤＶＤ１００を用いて実行可能な記録速度が入っているか否かを確認し（ステップＳ３）、レコーダＲにおいて実行可能な記録速度の範囲内に装填されているＤＶＤ１００を用いて実行可能な記録速度が入っていないときは（ステップＳ３；ＮＯ）、現在装填されているＤＶＤ１００にはレコーダＲによる情報記録が不可能であるので当該ＤＶＤ１００をレコーダＲから排出し（ステップＳ４）、実施形態の記録処理を終了する。
【００５４】
一方、ステップＳ３の判定において、レコーダＲにおいて実行可能な記録速度の範囲内に装填されているＤＶＤ１００を用いて実行可能な記録速度が入っているときは（ステップＳ３；ＹＥＳ）、次に記録速度範囲情報２１により示される記録速度の範囲（例えば図１（ｂ）に示す第２記録速度範囲情報２１−２の場合は、二倍速、四倍速、六倍速及び八倍速）並びに最高記録速度情報２２の内容及び最低記録速度情報２３の内容をＣＰＵ９において確認する（ステップＳ６）と共に、入力部９においてその時に所望される記録速度の指定操作が実行される（ステップＳ５）。なお、この場合に、ＤＶＤ１００への記録再生に伴うエラーレート等を検出し、その内容に基づいてＣＰＵ９が最適な記録速度を自動的に指定するように構成することもできる。
【００５５】
そして、指定された（ステップＳ５）記録速度を用いて実際の記録動作が可能であるか否かが、当該指定された記録速度と認識された記録速度範囲（すなわち、記録速度範囲情報２１により示されている記録速度の範囲又は最高記録速度情報２２により示されている最高記録速度以下で且つ最低記録速度情報２３により示されている最低記録速度以上の記録速度）とを比較することにより判断され（ステップＳ７）、指定された記録速度を用いて実際の記録動作が可能であるときは（ステップＳ７；ＹＥＳ）、その指定された記録速度でＤＶＤ１００を回転させるべく上記制御情報Ｓssがスピンドルモータ１に出力されて当該ＤＶＤ１００がその指定された記録速度で回転されつつ（ステップＳ８）記録情報Ｓinの記録が実行される（ステップＳ１０）。
【００５６】
そして、記録情報Ｓinが全て記録されたか否かが確認され（ステップＳ１１）、記録が終了していないときは（ステップＳ１１；ＮＯ）上記ステップＳ１０に戻って引き続き記録処理を継続し、一方記録が全て完了しているときは（ステップＳ１１；ＹＥＳ）そのまま実施形態の記録処理を完了する。
【００５７】
他方、上記ステップＳ７の判定において、指定された記録速度を用いた記録動作が実行不可能であるときは（ステップＳ７；ＮＯ）、記録速度範囲情報２１を用いて認識している記録速度のうち、指定された記録速度に最も近い記録速度を用いて記録情報Ｓinの記録を行う（ステップＳ９）。その後は、当該最も近い記録速度を用いて上記ステップＳ１０及びＳ１１を繰り返すことで記録情報Ｓinの記録を行う。
【００５８】
以上説明したように、実施形態のレコーダＲの動作によれば、基本記録速度を少なくとも含む記録速度範囲情報２１が制御情報エリアＳＣ内に記録されているので、ＤＶＤ１００への記録情報Ｓinの記録時に当該記録速度範囲情報２１を読み出して当該記録時における記録速度の設定に用いることで、将来において記録速度の更なる向上が図られた場合であってもこれに対応してレコーダＲ等を正確に制御して記録情報Ｓinの記録が行えると共に、記録速度の設定に関する規格を将来的に容易に拡充することができる。
【００５９】
なお、この場合、記録速度範囲情報２１により示されている記録速度に基づいてそのレコーダＲ独自に設定した他の記録速度又は他のストラテジ処理の内容に基づいて実際の記録処理を実行することもできる。
【００６０】
また、一の種類のＤＶＤ１００に対応する基本記録速度が、他の種類のＤＶＤ１００に対応する記録速度範囲外の記録速度となるように当該各種類のＤＶＤ１００における記録速度範囲情報２１の内容が予め夫々に設定されているので、夫々の種類のＤＶＤ１００を製造・販売する場合に各ＤＶＤ１００に最適な記録速度を特化しつつ広い範囲の記録速度に対応してＤＶＤ１００を製造・販売することができる。
【００６１】
更に、最高記録速度情報２２と最低記録速度情報２３とが併せて更に記録されているので、そのＤＶＤ１００の記録速度の変化への追随性能を十二分に活用して多くの種類の記録速度を用いた幅広い態様の情報記録を行うことができる。
【００６２】
更にまた、最高記録速度情報２２と最低記録速度情報２３とが併せて更に記録されており、指定された記録速度が最高記録速度情報２２と最低記録速度情報２３とにより認識される記録速度の範囲に含まれるとき、当該指定された記録速度で記録情報ＳinをＤＶＤ１００に記録するので、そのＤＶＤ１００の記録速度の変化への追随性能を十二分に活用して多くの種類の記録速度を用いた幅広い態様の情報記録を行うことができる。
【００６３】
また、指定された記録速度がそのＤＶＤ１００の記録速度の範囲に含まれないとき、記録情報ＳinをＤＶＤ１００に記録する際にレコーダＲにおいて用いることが可能な何れかの記録速度を用いて記録情報ＳinをＤＶＤ１００に記録するので、そのＤＶＤ１００に対して最適な記録速度を用いて記録情報Ｓinの記録を行うことができる。
【００６４】
なお、上述した実施形態においては、ＤＶＤ１００に対して記録情報Ｓinを記録するレコーダＲに本願を適用した場合について説明したが、これ以外に、既存の記録可能なＣＤや、現在開発されているＤＶＤよりも更に高記録容量の光ディスクに対する情報記録を行うレコーダに対して本願を適用することもできる。
【００６５】
また、図３に示すフローチャートに対応するプログラムを、インターネット等のネットワークを介して取得して記録しておき、又はフレキシブルディスク或いはハードディスク等の情報記録媒体に記録しておき、これらを汎用のマイクロコンピュータで読み出して実行することにより、当該汎用のマイクロコンピュータを実施形態に係るＣＰＵ９として機能させることも可能である。
【図面の簡単な説明】
【００６６】
【図１】実施形態のＤＶＤにおける物理フォーマット等を示す図であり、（ａ）は当該物理フォーマットを示す図であり、（ｂ）は記録速度範囲情報の概念を説明する図である。
【図２】実施形態のレコーダの概要構成を示すブロック図である。
【図３】実施形態の記録処理を示すフローチャートである。
【符号の説明】
【００６７】
１    スピンドルモータ
２    ピックアップ
３    ドライバ
４    ストラテジ制御部
５    変調部
６    合成部
７    Ａ／Ｄコンバータ
８    デコーダ
９    ＣＰＵ
１０    メモリ
１１    ディスプレイ
１２    入力部
１３    サーボ制御部
２１    記録速度範囲情報
２２    最高記録速度情報
２３    最低記録速度情報
Ｒ    レコーダ
【図１】
2005166111.tif 000003
【図２】
2005166111.tif 000004
【図３】
2005166111.tif 000005